(57)【要約】【課題】  複数の動物に発信器を取り付けて居場所などを管理する場合に複数の発信器から全く同時に発信されて受信が重なっても結果的にそれぞれを確実に受信できるようにした誤信のない有害動物管理装置を提供する。【解決手段】  有害動物管理装置(A)は、有害動物に取り付けることができ発信間隔を設定することができる発信器(1)、所要の距離以内の発信器(1)からの信号を受信し、信号に含まれる情報を表示する受信器(2)、受信器(2)が受信した信号の情報を印刷するプリンター(3)、受信器(2)が受信した信号の情報を携帯電話器(5)に対して送信する携帯電話器(4)を備えており、送信器(2)は実際の発信間隔を設定された発信間隔と発信ごとに無作為にずらして発信する機能を有している。【選択図】        図１
2006301876.tif 000002
【特許請求の範囲】
【請求項１】
有害動物に取り付けることができ、発信間隔を設定する手段(15)を有する発信器(1)と、
発信器(1)からの信号を受信し、その発信器(1)特有の情報またはそれを基にした情報を表示し、または他の機器に表示させる受信器(2)と、
を備えており、
上記発信器(1)は、その発信間隔を、設定された発信間隔とは発信ごとに無作為にずらす手段(14)を備えていることを特徴とする、
有害動物管理装置。
【請求項２】
受信器(2)が受信した発信器(1)特有の情報またはそれを基にした情報を印刷するプリンター(3)を備えていることを特徴とする、
請求項１記載の有害動物管理装置。
【請求項３】
受信器(2)が受信した発信器(1)特有の情報またはそれを基にした情報を特定の携帯電話器(5)に対して送信する手段(22,4)を備えていることを特徴とする、
請求項１または２記載の有害動物管理装置。
【請求項４】
受信器(2)は、受信間隔を設定する手段(26)を備えていることを特徴とする、
請求項１、２または３記載の有害動物管理装置。
【請求項５】
受信器(2)が発信器(1)特有の情報またはそれを基にした情報を受信した後に、その情報を一旦クリアする手段(6)を備えていることを特徴とする、
請求項１、２、３または４記載の有害動物管理装置。
【請求項６】
受信器(2)に、発信器(1)が受信器(2)の所要の距離以内に入って受信した後、所要の距離から離れて受信しなくなったときに、有害動物が離れたことを報知する手段(14,21)を備えていることを特徴とする、
請求項１、２、３、４または５記載の有害動物管理装置。
【請求項７】
発信器(1)は、発信される信号に発信器(1)の電池寿命を示す情報を含ませる手段(14)を有することを特徴とする、
請求項１、２、３、４、５または６記載の有害動物管理装置。
【発明の詳細な説明】
【技術分野】
【０００１】
本発明は、例えば野生のサルなど、場合によっては有害動物になり得る動物の現在位置や行動範囲を知ることにより、動物を効果的に追い払うことができるようにする有害動物管理装置に関するものである。更に詳しくは、複数の動物に発信器を取り付けた場合に複数の発信器から全く同時に発信されたときに電波の強い一方側だけを受信してしまったり混信して受信できなかったりすることを防止し、このような場合でも、次の発信では発信のタイミングがずれるようにして、前回の発信では重なっていた信号のそれぞれを確実に受信できるようにした誤信のない有害動物管理装置に関する。
【背景技術】
【０００２】
例えばサルなどの野生動物は、食料が足りていて人が住むところとの棲み分けができていれば、人に危害を加えたり農作物を荒らすようなことはない。ところが近年においては、森林の伐採や開墾などの開発が進んで野生動物の住む地域が侵され、更に天候の不順によって食料が減るなどして、地域によってはこのような棲み分けができなくなってきており、このため野生動物による上記のような被害が出る地域が増えてきた。
【０００３】
野生動物による被害を防止するために、例えば地域住民が見回りをしたり、一定時間ごとに威嚇音を鳴らしたり、あるいは畑の回りに電気柵を設けたり防護ネットを張るというような様々な対策がとられているが、住民が思うような十分な成果は得られていない。
【０００４】
そこで、まず野生動物の生息状況や行動範囲を知り、動物が現れる場所に先回りをして威嚇をするなどし、その場所が動物にとって安全な場所ではないことを学習させることにより被害を食い止めようとする方法も試みられている。
【０００５】
この方法では、例えばサルのように群れで行動する動物の場合は、群れの中心にいる大人のメスなどを捕獲して小型の発信器を取り付けて放し、地域の所要箇所に設置した受信器によって発信器からの信号を受信し、発信器を付けたサルの位置を知ることにより群れの位置を特定している。
【０００６】
また、発信器を複数のサルに取り付ける場合は、それぞれの発信器の発信周波数を変えて、近づいてきたのがどのサルなのかを特定できるようにしている。更に、発信器の電池は数年は持たせる必要があるので、電池の消耗を少なくするために、発信は例えば一定時間ごとに一回、ごく短時間発信するなどしている。
【発明の開示】
【発明が解決しようとする課題】
【０００７】
しかしながら、上記方法による管理では、発信周波数を変えて発信器を識別する方式であるため、法的に使用可能な周波数帯域の問題もあり、多数の発信器を使用するのには問題がある。そこで、他の方式として、伝えたい情報をデジタル信号（信号波）に変換し、これを搬送波に乗せて発信する方式（デジタル無線伝送）がある。
【０００８】
これによれば、発信される信号（変調波）に、例えばＩＤ(identification)などの識別情報の他、電池の残量情報など様々な情報を信号波として含ませることが可能になり、受信側で変調波から信号波を復調により取り出すことができる。
【０００９】
しかしながら、この方式でも問題があり、例えば発信器を取り付けたサルの数が複数である場合、受信器による受信範囲内に侵入している複数のサルの発信器から全く同時に発信されることがあり得る。この場合は、それらが同じ周波数の信号であるため、例えば電波の強い一方側だけを受信してしまったり、混信して受信できなかったりすることが考えられる。この同時発信は、発信間隔が同じであれば、一旦起こってしまうと所要時間後の次回の発信以降も繰り返されることになり、正常に受信できない状況の解除は難しい。
【００１０】
（本発明の目的）
本発明の目的は、例えば野生のサルなど、場合によっては有害動物になり得る動物の現在位置や行動範囲を知ることにより、動物を効果的に追い払うことができるようにする有害動物管理装置において、複数の動物に発信器を取り付けた場合に複数の発信器から全く同時に発信されたときに電波の強い一方側だけを受信してしまったり混信して受信できなかったりすることを防止し、このような場合でも、次の発信では発信のタイミングがずれるようにして、前回の発信では重なっていた信号のそれぞれを確実に受信できるようにした誤信のない有害動物管理装置を提供することである。
【課題を解決するための手段】
【００１１】
上記課題を解決するために本発明が講じた手段は次のとおりである。
第１の発明にあっては、
有害動物に取り付けることができ、発信間隔を設定する手段を有する発信器と、
発信器からの信号を受信し、その発信器特有の情報またはそれを基にした情報を表示し、または他の機器に表示させる受信器と、
を備えており、
上記発信器は、その発信間隔を、設定された発信間隔とは発信ごとに無作為にずらす手段を備えていることを特徴とする、
有害動物管理装置である。
【００１２】
第２の発明にあっては、
受信器が受信した発信器特有の情報またはそれを基にした情報を印刷するプリンターを備えていることを特徴とする、
第１の発明に係る有害動物管理装置である。
【００１３】
第３の発明にあっては、
受信器が受信した発信器特有の情報またはそれを基にした情報を特定の携帯電話器に対して送信する手段を備えていることを特徴とする、
第１または第２の発明に係る有害動物管理装置である。
【００１４】
第４の発明にあっては、
受信器は、受信間隔を設定する手段を備えていることを特徴とする、
第１、第２または第３の発明に係る有害動物管理装置である。
【００１５】
第５の発明にあっては、
受信器が発信器特有の情報またはそれを基にした情報を受信した後に、その情報を一旦クリアする手段を備えていることを特徴とする、
第１、第２、第３または第４の発明に係る有害動物管理装置である。
【００１６】
第６の発明にあっては、
受信器に、発信器が受信器の所要の距離以内に入って受信した後、所要の距離から離れて受信しなくなったときに、有害動物が離れたことを報知する手段を備えていることを特徴とする、
第１、第２、第３、第４または第５の発明に係る有害動物管理装置である。
【００１７】
第７の発明にあっては、
発信器は、発信される信号に発信器の電池寿命を示す情報を含ませる手段を有することを特徴とする、
第１、第２、第３、第４、第５または第６の発明に係る有害動物管理装置である。
【００１８】
管理する対象となる動物としては、場合によっては人や家畜あるいは農作物に被害を与える有害動物となり得る動物であれば、例えばサルの他、シカ、イノシシ、クマなどがあげられるが、これらに限定はされない。
【００１９】
発信器の位置は、ＧＰＳ(global positioning system)を利用して地図情報として表示することもできるが、限定はしない。
発信器と受信器は、発信器の発信間隔を変えるなどして、例えば釣り竿や動物罠の掛かりの報知用として兼用する（または使い分ける）ことも可能である。
【００２０】
発信器特有の情報またはそれを基にした情報とは、例えば発信器を特定するＩＤなどの識別情報、発信された日時の情報、発信位置（地図表示を含む）の情報、発信器を取り付けている動物が属する群れの識別情報などであるが、これらに限定はしない。
【００２１】
また、表示の方法は、例えば７セグメント液晶、または７セグメントＬＥＤ(light emitting diode)などで、セグメントの点灯箇所を適宜組み合わせて様々な数字（算用数字）や図形を表したり、点灯と消灯を所要のタイミングで繰り返して、例えばサークルが回るように動画的に表示するなどであるが、この表示方法に限定されるものではなく、各種の公知表示手段も採用できる。
【００２２】
（作用）
本発明に係る有害動物管理装置の作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００２３】
管理対象となる動物（ここではサルで説明する）を捕らえて発信器(1)を取り付ける。発信間隔を適宜設定しておく。そして、この管理ザルを群れに戻す。管理ザルは群れと共に動き、群れの位置のおおまかな指標となる。同じ群れで管理ザルを複数つくれば、より正確な指標となる。
【００２４】
受信器(2)は管理する地域の特定箇所に設置しておいてもよいし、住民が見回りなどで携帯することもできる。
管理ザルに取り付けた発信器(1)は設定された時間ごとに発信を繰り返しており、管理ザルが受信器(2)で受信可能なところ（例えば、その範囲内が管理地域となる）まで移動し、発信器(1)が発信すると、受信器(2)が受信し、識別信号などのその発信器(1)特有の情報またはそれを基にした情報を表示する。または他の機器に表示させることもできる。これにより、どの管理ザルが管理地域内に入ったかが特定できる。
【００２５】
そして、例えば管理ザルを複数つくった場合、管理地域内に侵入している複数の管理ザルの発信器(1)から全く同時に発信されることがあり得る。この場合は、例えばそのときの受信を無視し、次回発信される信号を受信することにより、識別することができる。すなわち、前回の発信では重なっていた信号は、次の発信では各信号の発信間隔またはタイミングが必ずずれるので、それぞれの信号を確実に受信できる。
【発明の効果】
【００２６】
（ａ）本発明によれば、例えば野生のサルなど、場合によっては有害動物になり得る動物の現在位置や行動範囲を知ることにより、動物を効果的に追い払うことができるようにする有害動物管理装置において、複数の動物に発信器を取り付けた場合に複数の発信器から全く同時に発信されたときに電波の強い一方側だけを受信してしまったり混信して受信できなかったりすることを防止し、このような場合でも、次の発信では発信のタイミングがずれるようにして、前回の発信では重なっていた信号のそれぞれを確実に受信できるようにした誤信のない有害動物管理装置を提供することができる。
【００２７】
（ｂ）受信器が受信した発信器特有の情報またはそれを基にした情報を印刷するプリンターを備えているものは、印刷により管理ザル及び群れの管理地域への接近、侵入などのデータの記録ができる。
【００２８】
（ｃ）受信器が受信した発信器特有の情報またはそれを基にした情報を特定の携帯電話器に対して送信する手段を備えているものは、遠隔地にいる管理者や住民、役場などの管理部にしらせることができる。
【００２９】
（ｄ）受信器は、受信間隔を設定する手段を備えているものは、例え電池駆動として管理者が携帯するような場合、例えば３０分〜６０分に一回６０秒ほど受信待ち状態とすることで、電池の消耗を少なくすることができ、電池寿命を延ばすことができる。
【００３０】
（ｅ）受信器が発信器特有の情報またはそれを基にした情報を受信した後に、その情報を一旦クリアする手段を備えているものは、例えば管理ザルと群れの侵入がわかって、管理者や住民が群れが現れる場所に先回りをして威嚇をするなどの行動をとることができれば、携帯電話器への通信やプリンターによる印刷は特に継続しなくても支障はない。このような場合は、必要に応じて上記のように情報をクリアし、携帯電話器やプリンターの作動を一旦停止させることができ、携帯電話の通信料、プリンターの印刷経費などの節約ができる。
【００３１】
（ｆ）受信器に、発信器が受信器の所要の距離以内に入って発信した後、所要の距離から離れて受信しなくなったときに、受信しなくなったことを報知する手段を備えているものは、管理ザルと群れが離れたことがはっきりと分かる。
【００３２】
（ｇ）発信器は、発信される信号に発信器の電池寿命を示す情報を含ませる手段を有するものは、例えば電池残量がなくなったことを示すようにすれば、再度サルを捕獲して管理ザルをつくったり、電池残量がない発信器を付けた管理ザルがみつかれば、捕らえて発信器を取り替えたり取り外すなどの対策を講じるための目安となる。
【発明を実施するための最良の形態】
【００３３】
本発明を図に示した実施例に基づき詳細に説明する。
【実施例】
【００３４】
図１は本発明に係る有害動物管理装置の構造を示す概略説明図、
図２は発信器の外形構造を示す正面図、
図３は発信器の内部構造を示す説明図、
図４は発信器の発信間隔を発信ごとに無作為にずらすことにより複数の受信を可能にする方式の説明図、
図５は受信器の内部構造を示す説明図である。
【００３５】
有害動物管理装置Ａは、発信器１、受信器２、プリンター３、送信用の携帯電話器４、受信用の携帯電話器５により構成されている。なお、携帯電話器４、５の代替として、例えばＰＨＳなど他の移動通信機器を採用することもできる。
【００３６】
主に図２、図３を参照する。
発信器１は、合成樹脂製の防水ケース１０を有しており、その内部には発信器基板１１と電池１２が収められている。防水ケース１０上部には、サルなどの首に取り付けるためのベルト１３が設けられている。
【００３７】
防水ケース１０とベルト１３の取付部は、高周波溶着によって一体化されている。この一体化構造は、取付ビス、ナットなどを使用しないために発信器２の軽量化及び防水性の向上に寄与している。また、アンテナが外部に出ていないので、発信器１を取り付けた管理動物の生活の邪魔になってストレスを与えてしまうことはなく、接触などの外力で壊れる心配もない。
【００３８】
発信器基板１１は、発振回路を有し所要の一定周波数で発信する発信部１４と、発信部１４による発信間隔を適宜設定（例えば６０秒、３０秒、１５秒など）するための設定部１５を備えている。また、一回の発信時間は例えばごく短く（例えば８５ｍｓ）設定されている。
【００３９】
発信部１４から発信される信号は、各発信器１で周波数が同じ（単波：例えば４３０ＭＨｚ）であり、発信器１から発信される信号に、ＩＤ（本実施の形態では番号）などの識別情報を表すデジタル信号が信号波として含まれている。この識別情報により、各信号すなわち発信している各発信器１を識別できるようになっている。
【００４０】
発信部１４による発信は、設定部１５で設定された発信間隔に固定するのではなく、発信ごとに設定時間より短くなったり長くなったりして無作為（ランダム）に変わるようになっている。この発信の制御は、例えば乱数を利用したプログラム制御により行われている。
【００４１】
また、発信部１４は電池残量が少なくなると、残量が少なくなったことを知らせる情報を表すデジタル信号を信号波として発信する信号に含ませるようになっている。その信号は受信器２で受信され、取り出された信号波に乗った情報は後述する表示部２１に表示される。この場合、例えば中央の横セグメントのみを二箇所点灯して（−−）の表示となる。なお、発信器１の電池残量が不足している情報は、携帯電話器４から携帯電話器５へも送られるようになっている。
【００４２】
図４を参照（後述、図６もあわせて参照）して説明すると、例えば管理ザルＭ１の発信器１から発信される信号Ｓ１と管理ザルＭ５の発信器１から発信される信号Ｓ５が、仮に一回目の発信で偶然に同時に行われて受信が重なった場合でも、次回の発信では重なることがない。
【００４３】
すなわち、各発信器１の発信間隔が無作為に変えられた結果、次回が管理ザルＭ１の発信器１からの発信間隔が設定間隔Ｔよりα１だけ短くなり、管理ザルＭ５の発信器１からの発信間隔がα２だけ長くなったとすれば、二回目の信号Ｓ１とＳ５の発信は、（α１＋α２）だけタイミングがずれて、信号Ｓ１とＳ５は重ならない。
【００４４】
これにより、一回目で正常に受信できなくても、二回目の信号を受信して、信号を発信した各発信器１を特定できる。なお、上記発信間隔のずれの大きさは、一回目で重なった各信号が二回目ではそれぞれ単独で受信できる大きさに設定されるのが好ましいが、信号Ｓ１とＳ５が一部重なっても受信と識別は可能である。
【００４５】
図１、図５を参照する。
受信器２は、受信部２０を備えている。受信部２０は、発信器１から発信される信号を所要の範囲内（例えば１ｋｍ以内）において受信できる感度を有している。
表示部２１は、７セグメント液晶の三桁表示方式であり、受信された信号から取り出された信号波に乗っている、発信器１特有の情報またはそれを基にした各種情報を表示することができる。また、表示部２１は、受信部２０が信号を受信しなくなって所要時間（例えば１時間）が経過すると、管理動物が管理地域内にいなくなったことを知らせる情報を表示するようになっている。
【００４６】
出力制御部２２は、上記と同様の情報を送信用の携帯電話器４から受信用の携帯電話器５に発信するよう制御する。この発信では、例えば情報の種類ごとにあらかじめ決められた音声信号を送ってもよいし、ショートメールなどのメールで送ってもよい。
【００４７】
また、出力制御部２２は、受信した上記情報をプリンター３が印刷するように制御する。電池２３と電源２４は、電源２４を供給部(DC12V)につながない状態では電池２３から電気が供給され、電源２４を供給部(DC12V)につなぐと自動的に電源２４側からの供給に切り替わるようになっている。
【００４８】
記憶部２５は、発信器１の登録情報を記憶することができる。受信器２は、これにより多数（例えば最大９９９台）の発信器１を登録できる。また、記憶部２５は、受信側の携帯電話器５の登録情報を記憶することができる。受信器２は、これにより多数の携帯電話器５を登録できる。なお、携帯電話器５の登録は、受信器２の設定を登録モードにし、登録したい携帯電話器５から携帯電話器４へ電話をかけることにより自動的に行われる。
【００４９】
この明細書で説明する様々な登録操作などはユーザ側で行うことが可能であり、登録モードなどの設定は、例えばディップスイッチの操作の組み合わせで行われるが、この方式に限定されるものではない。
【００５０】
また、記憶部２５は受信部２０が受信した上記情報（受信履歴などを含む）を順次記憶することができる。記憶部２５で記憶された受信情報は、クリア送信器６によって必要に応じてクリアすることができる。受信情報がクリア（削除）されると、例えば所要時間（例えば５秒）受信を停止することができる。なお、クリアしたクリア送信器６のＩＤがプリンター３または受信用の携帯電話器５に通知される。
【００５１】
設定部２６は、節電のために受信部２０による受信間隔を設定することができ、間欠受信をさせることができる。例えば、３００秒受信→３０秒受信停止→３００秒受信を繰り返すように設定できる。このように設定した場合、例えば表示部２１による表示を行わないようにし、受信器２に設けた（あるいはイヤホンジャックなどに接続した）ブザー（図示省略）のみによる報知をするようにして更に節電することもできる。
【００５２】
プリンター３には、上記受信器２と送信側の携帯電話器４が接続されている。受信器２と送信側の携帯電話器４には、商用電源(AC100V)につながれているプリンター３から電気が供給されている。また、受信器２は携帯電話器４へ受信情報を転送することができ、携帯電話器４による送信の制御もできる。
プリンター３は、例えば発信器１から送信された時、発信器１が受信可能な範囲から離れた時、更にクリア発信器６から送信された時の年、月、日、時刻の情報及び発信器１の登録番号（ＩＤを含む）の情報、発信器１の電池残量不足の情報などを印刷することができる。
【００５３】
（作用）
図６は有害動物管理装置の使用状態を示す説明図である。ここでは、野生のサル及びその群れを管理する場合を例にとって説明する。
【００５４】
まず、管理対象となるサルを捕らえて、サルの首に発信器１をベルト１３で取り付ける。発信間隔は例えば６０秒に設定しておく。そして、この管理ザルＭ１を群れに戻す。管理ザルＭ１は群れＧ１と共に動き、群れＧ１の位置のおおまかな指標となる。同様にして同じ群れＧ１で管理ザルＭ２、Ｍ３をつくり、更に他の群れＧ２においても管理ザルＭ４、Ｍ５、Ｍ６をつくる。
受信器２はプリンター３や送信用の携帯電話器４は、管理する地域の特定箇所に設置しておく。なお、受信器２は、管理者や住民が見回りなどで携帯することもできる。
【００５５】
管理ザルＭ１〜Ｍ６に取り付けた各発信器１は設定された６０秒ごと（実際には上記のように無作為に発信間隔を変えている）に発信を繰り返している。そして、例えば図６に示すように管理ザルＭ１、Ｍ３、Ｍ５が受信器２で受信可能なところまで移動し、発信器１が発信すると、受信器２が受信し、その信号に含まれているＩＤなどの識別情報、その他の各種情報が乗った信号波を取り出し、その情報を表示部２１に表示する。
【００５６】
この場合は、管理ザルＭ１、Ｍ３、Ｍ５が管理地域内に侵入したことを番号（００１→００３→００５）で順次表示する。管理ザルＭ１、Ｍ３は群れＧ１に属し、管理ザルＭ５は群れＧ２に属しているので、これらの表示によって二つの群れＧ１、Ｇ２が侵入したことも分かる。なお、群れＧ１、Ｇ２を文字で表示するようにしてもよい。
【００５７】
そして、管理ザルＭ１、Ｍ３、Ｍ５が管理地域内にいる間は、表示部２１のセグメントの点灯と消灯を所要のタイミングで繰り返して、サークルが回るように動画的に表示する。また、管理ザルＭ１、Ｍ３、Ｍ５が管理地域内から離れた場合（例えば信号を受信しなくなって１時間が経過）は、中央の横セグメントのみを三箇所点灯して（−−−）の表示となり、群れＧ１、Ｇ２もほぼ離れたことがわかる。
【００５８】
このように複数の管理ザル（この場合はＭ１、Ｍ３、Ｍ５）が同時に管理地域内に侵入している場合、これら複数の管理ザルの発信器１から全く同時に発信されることがあり得る。この場合は、そのときの受信を無視し、次回６０秒後に発信される信号を受信することにより、識別することができる。
【００５９】
上記のように識別可能な理由を図４を参照して説明する。
例えば管理ザルＭ１の発信器１からの信号Ｓ１と管理ザルＭ５の発信器１からの信号Ｓ５が、仮に一回目の発信で偶然に同時に行われ受信が重なった場合、各信号Ｓ１、Ｓ５の周波数は同じなので受信が正常に行われない。
【００６０】
そして、例えば、管理ザルＭ１、Ｍ５が付けている各発信器１の発信間隔が正確に６０秒であれば、最初に同時発信してしまうと、二回目以降の発信も同時に行われることになり、受信が正常に行われない状態が続き、管理ザルＭ１、Ｍ５が管理地域に侵入したこと、すなわち二つの群れＧ１、Ｇ２が侵入していることを察知できないことになる。
【００６１】
本発明に係る装置では、各発信器１の発信間隔を無作為に変えるようになっている。これにより、例えば図６に示すように、管理ザルＭ１の発信器１の二回目の発信間隔が設定間隔Ｔよりα１だけ短くなり、管理ザルＭ５の発信器１からの発信間隔がα２だけ長くなったとすれば、二回目の発信は、後者の発信が（α１＋α２）だけ遅くなりタイミングがずれることになる。
これにより、最初受信できなくても、次回の発信信号を受信して、受信信号を発信した各発信器１を特定し、それらを付けている管理ザルＭ１、Ｍ５が管理地域内に侵入したことを察知できる。
【００６２】
また、例えば上記のように管理ザルＭ１、Ｍ３、Ｍ５と群れＧ１、Ｇ２の侵入がわかって、すでに管理者や住民が群れが現れる場所に先回りをして威嚇をするなどの行動をとることができていれば、携帯電話器４、５間の通信やプリンター３による印刷は特に継続しなくても支障はない。
【００６３】
このような場合は、管理者などがクリア送信器６で受信器２の受信情報をクリアし、携帯電話器４やプリンター３の作動を一旦停止させることができる。これにより、携帯電話４、５の通信料、プリンター３の印刷経費などの節約ができる。なお、クリア送信器６は複数が受信器１に登録可能であり、各クリア送信器６により上記操作ができる。
【００６４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６５】
【図１】本発明に係る有害動物管理装置の構造を示す概略説明図。
【図２】発信器の外形構造を示す正面図。
【図３】発信器の内部構造を示す説明図。
【図４】発信器の発信間隔を発信ごとに無作為にずらすことにより複数の受信を可能にする方式の説明図。
【図５】受信器の内部構造を示す説明図。
【図６】有害動物管理装置の使用状態を示す説明図。
【符号の説明】
【００６６】
Ａ  有害動物管理装置
１  発信器
１０  防水ケース
１１  発信器基板
１２  電池
１３  ベルト
１４  発信部
１５  設定部
２  受信器
２０  受信部
２１  表示部
２２  出力制御部
２３  電池
２４  電源
２５  記憶部
２６  設定部
３  プリンター
４ 送信側の携帯電話器
５ 受信側の携帯電話器
６ クリア送信器
Ｍ１〜Ｍ６  管理ザル
Ｇ１、Ｇ２  群れ
【図１】
2006301876.tif 000003
【図２】
2006301876.tif 000004
【図３】
2006301876.tif 000005
【図４】
2006301876.tif 000006
【図５】
2006301876.tif 000007
【図６】
2006301876.tif 000008